(57)【要約】  輸液チューブセット１００は、輸液チューブ１と、その輸液チューブ１に着脱可能であり、フィルタ２６を有していない輸液チューブ１ａおよびフィルタ２６を有する輸液チューブ１ｂとを備えている。輸液チューブ１は、チューブ２１と、チューブ２１の上流側の端部に設けられた瓶針２２とを有し、チューブ２１の瓶針２２よりも下流側には、点滴筒２３、ローラークレンメ２４、上流側コネクタ３ａ、下流側コネクタ３ｂが設けられている。下流側コネクタ３ｂの主管３１の上流側の端部には、濾過網１２が設置されている。
2012002313.tif 000002
【特許請求の範囲】
【請求項１】
液体の流路を構成するチューブと、
前記流路の途中に設けられ、前記流路を流れる液体中の異物を除去する濾過部材と、
前記流路の前記濾過部材の上流側に設けられた上流側コネクタと、
前記流路の前記濾過部材の下流側に設けられた下流側コネクタとを備え、
前記下流側コネクタに、輸液の際に用いられ、液体は通過させるが細菌は通過させないフィルタを有するフィルタ付き輸液チューブが接続され、前記上流側コネクタに、輸液の際に用いられ、前記フィルタを有していないフィルタ無し輸液チューブが接続されるよう構成されていることを特徴とする輸液チューブ。
【請求項２】
前記上流側コネクタは、前記チューブの側方に突出した分岐管を有し、該分岐管の端部に、前記フィルタ無し輸液チューブが接続される接続口が設けられ、
前記下流側コネクタは、前記チューブの側方に突出した分岐管を有し、該分岐管の端部に、前記フィルタ付き輸液チューブが接続される接続口が設けられている請求項１に記載の輸液チューブ。
【請求項３】
前記濾過網は、前記上流側コネクタの前記分岐管よりも下流側、または前記下流側コネクタの前記分岐管よりも上流側に設けられている請求項２に記載の輸液チューブ。
【請求項４】
前記フィルタ無し輸液チューブおよび前記フィルタ付き輸液チューブは、それぞれ、抗がん剤の投与に用いるものである請求項１に記載の輸液チューブ。
【請求項５】
請求項１に記載の輸液チューブと、
輸液の際に用いられ、液体の流路を構成するチューブと、該流路の途中に設けられ、液体は通過させるが細菌は通過させないフィルタとを有するフィルタ付き輸液チューブと、
輸液の際に用いられ、液体の流路を構成するチューブを有し、前記フィルタを有していないフィルタ無し輸液チューブとを備え、
前記下流側コネクタに、前記フィルタ付き輸液チューブが接続され、前記上流側コネクタに、前記フィルタ無し輸液チューブが接続されるよう構成されていることを特徴とする輸液チューブセット。
【請求項６】
前記フィルタ無し輸液チューブは、前記上流側コネクタと接続されるフィルタ無し輸液チューブ側コネクタを有し、
前記フィルタ付き輸液チューブは、前記下流側コネクタと接続されるフィルタ付き輸液チューブ側コネクタを有し、
前記上流側コネクタと前記フィルタ無しコネクタとの一方のコネクタは、筒状をなし、その先端に他方のコネクタが挿入される開口を有する第１のコネクタ本体と、該第１のコネクタ本体の内腔部に前記流路と連通するように設けられ、先端部に開口する開口部を有する中空針と、該中空針で刺通可能な第１の刺通部を有し、前記第１のコネクタ本体の内腔部を封止する弾性材料で構成された第１の封止部材と、前記第１の刺通部を先端方向に付勢する付勢部材とを備え、
前記他方のコネクタは、筒状をなし、その先端が前記流路と連通する第２のコネクタ本体と、該第２のコネクタ本体の基端に設けられ、前記第１のコネクタ本体に挿入した際に前記第１の刺通部に密着する第２の刺通部を有し、かつ、前記第２のコネクタ本体の内腔部を封止する弾性材料で構成された第２の封止部材とを備え、
前記一方のコネクタには、前記一方のコネクタに前記他方のコネクタを挿入する際に、その挿入操作を途中で一旦規制し、その規制を解除すると前記挿入操作を再開可能とし、前記一方のコネクタから前記他方のコネクタを抜去する際に、その抜去操作を途中で一旦規制し、その規制を解除すると前記抜去操作を再開可能とする操作規制手段が設けられており、
前記一方のコネクタに前記他方のコネクタが挿入される過程では、前記第１の刺通部と前記第２の刺通部とが前記密着状態となったときに前記操作規制手段により前記挿入操作が一旦規制され、その規制を解除して前記挿入操作を再開すると、前記密着状態の前記第１の刺通部と前記第２の刺通部とが前記中空針で刺通され、かつ、該中空針の前記開口部が前記第２の刺通部よりも先端側に位置して前記第２のコネクタ本体の内腔部に露出し、
前記一方のコネクタから前記他方のコネクタが抜去される過程では、前記中空針の前記開口部が前記密着状態の前記第１の刺通部よりも基端側に位置したときに前記操作規制手段により前記抜去操作が一旦規制され、その規制を解除して前記抜去操作を再開すると、前記第１の刺通部と前記第２の刺通部とが離間するよう構成されている請求項５に記載の輸液チューブセット。
【請求項７】
前記フィルタ無し輸液チューブは、前記上流側コネクタと接続されるフィルタ無し輸液チューブ側コネクタを有し、
前記フィルタ付き輸液チューブは、前記下流側コネクタと接続されるフィルタ付き輸液チューブ側コネクタを有し、
前記下流側コネクタと前記フィルタ付きコネクタとの一方のコネクタは、筒状をなし、その先端に他方のコネクタが挿入される開口を有する第３のコネクタ本体と、該第３のコネクタ本体の内腔部に前記流路と連通するように設けられ、先端部に開口する開口部を有する中空針と、該中空針で刺通可能な第３の刺通部を有し、前記第３のコネクタ本体の内腔部を封止する弾性材料で構成された第３の封止部材と、前記第３の刺通部を先端方向に付勢する付勢部材とを備え、
前記他方のコネクタは、筒状をなし、その先端が前記流路と連通する第４のコネクタ本体と、該第４のコネクタ本体の基端に設けられ、前記第３のコネクタ本体に挿入した際に前記第３の刺通部に密着する第４の刺通部を有し、かつ、前記第４のコネクタ本体の内腔部を封止する弾性材料で構成された第４の封止部材とを備え、
前記一方のコネクタには、前記一方のコネクタに前記他方のコネクタを挿入する際に、その挿入操作を途中で一旦規制し、その規制を解除すると前記挿入操作を再開可能とし、前記一方のコネクタから前記他方のコネクタを抜去する際に、その抜去操作を途中で一旦規制し、その規制を解除すると前記抜去操作を再開可能とする操作規制手段が設けられており、
前記一方のコネクタに前記他方のコネクタが挿入される過程では、前記第３の刺通部と前記第４の刺通部とが前記密着状態となったときに前記操作規制手段により前記挿入操作が一旦規制され、その規制を解除して前記挿入操作を再開すると、前記密着状態の前記第３の刺通部と前記第４の刺通部とが前記中空針で刺通され、かつ、該中空針の前記開口部が前記第４の刺通部よりも先端側に位置して前記第４のコネクタ本体の内腔部に露出し、
前記一方のコネクタから前記他方のコネクタが抜去される過程では、前記中空針の前記開口部が前記密着状態の前記第３の刺通部よりも基端側に位置したときに前記操作規制手段により前記抜去操作が一旦規制され、その規制を解除して前記抜去操作を再開すると、前記第３の刺通部と前記第４の刺通部とが離間するよう構成されている請求項５に記載の輸液チューブセット。
【発明の詳細な説明】
【技術分野】
【０００１】
本発明は、輸液チューブおよび輸液チューブセットに関するものである。
【背景技術】
【０００２】
患者に輸液を行う際に使用される輸液チューブや輸液チューブセットが知られている。
輸液チューブとしては、液体は通過させるが細菌は通過させないフィルタを有するインラインフィルタ付き輸液チューブと、そのフィルタを有していないインラインフィルタ無し輸液チューブとがあり、患者に薬液を投与する際は、その薬液の種類や特性に応じて、インラインフィルタ付き輸液チューブと、インラインフィルタ無し輸液チューブとを事前に選択して使用する（例えば、特許文献１参照）。また、インラインフィルタ無し輸液チューブを使用する際は、ライン内に、そのラインを流れる薬液中のアンプルのガラス片やバイアルのゴム片等の異物を除去する濾過網が設けられている。【０００３】
ここで、インラインフィルタ付き輸液チューブを用いる場合は、ライン内に濾過網を設置することはない。その理由は、フィルタが濾過網の機能を有しているので、濾過網が不要であることと、ライン内に、フィルタと濾過網とを設置すると、薬液が流れるときの抵抗が非常に高くなってしまうためである。【０００４】
また、投与する薬液に含まれる薬剤がフィルタに吸着するものである場合は、インラインフィルタ付き輸液チューブを使用することはできない。【０００５】
ところで、前記従来の輸液チューブセットでは、インラインフィルタ付き輸液チューブと、インラインフィルタ無し輸液チューブとを事前に選択して使用するが、例えば、複数の抗がん剤を順次投与するがん化学療法の併用療法においては、投与する抗がん剤に応じて、インラインフィルタ付き輸液チューブと、インラインフィルタ無し輸液チューブを治療中に交換しなければならない場合がある。この輸液チューブの交換は、例えば、インラインフィルタ付き輸液チューブの端部に設けられた穿刺針を患者から抜去した後、インラインフィルタ無し輸液チューブの端部に設けられた穿刺針を患者に穿刺すること、または、その逆の操作によりなされる。このため、前記輸液チューブの交換の際、ライン内に残留する抗がん剤が穿刺針から漏出し、医療従事者が、その抗がん剤に被爆する虞がある。【０００６】
【特許文献１】特開昭６４−１６８４３号公報
【発明の開示】
【０００７】
本発明の目的は、投与する液体に触れることなく、安全に、フィルタ付き輸液チューブや、フィルタ無し輸液チューブの着脱操作を行うことができ、また、フィルタ付き輸液チューブを使用するときの流路には、濾過部材が介在せず、フィルタ無し輸液チューブを使用するときの流路には、濾過部材が介在するようにし得る輸液チューブおよび輸液チューブセットを提供することにある。
上記目的を達成するために、本発明は、液体の流路を構成するチューブと、
前記流路の途中に設けられ、前記流路を流れる液体中の異物を除去する濾過部材と、
前記流路の前記濾過部材の上流側に設けられた上流側コネクタと、
前記流路の前記濾過部材の下流側に設けられた下流側コネクタとを備え、
前記下流側コネクタに、輸液の際に用いられ、液体は通過させるが細菌は通過させないフィルタを有するフィルタ付き輸液チューブが接続され、前記上流側コネクタに、輸液の際に用いられ、前記フィルタを有していないフィルタ無し輸液チューブが接続されるよう構成されていることを特徴とする輸液チューブである。
【０００８】
本発明の輸液チューブでは、前記上流側コネクタは、前記チューブの側方に突出した分岐管を有し、該分岐管の端部に、前記フィルタ無し輸液チューブが接続される接続口が設けられ、
前記下流側コネクタは、前記チューブの側方に突出した分岐管を有し、該分岐管の端部に、前記フィルタ付き輸液チューブが接続される接続口が設けられていることが好ましい。
【０００９】
本発明の輸液チューブでは、前記濾過網は、前記上流側コネクタの前記分岐管よりも下流側、または前記下流側コネクタの前記分岐管よりも上流側に設けられていることが好ましい。
【００１０】
本発明の輸液チューブでは、前記フィルタ無し輸液チューブおよび前記フィルタ付き輸液チューブは、それぞれ、抗がん剤の投与に用いるものであることが好ましい。
【００１１】
また、上記目的を達成するために、本発明は、前記本発明の輸液チューブと、
輸液の際に用いられ、液体の流路を構成するチューブと、該流路の途中に設けられ、液体は通過させるが細菌は通過させないフィルタとを有するフィルタ付き輸液チューブと、
輸液の際に用いられ、液体の流路を構成するチューブを有し、前記フィルタを有していないフィルタ無し輸液チューブとを備え、
前記下流側コネクタに、前記フィルタ付き輸液チューブが接続され、前記上流側コネクタに、前記フィルタ無し輸液チューブが接続されるよう構成されていることを特徴とする輸液チューブセットである。
【００１２】
本発明の輸液チューブセットでは、前記フィルタ無し輸液チューブは、前記上流側コネクタと接続されるフィルタ無し輸液チューブ側コネクタを有し、
前記フィルタ付き輸液チューブは、前記下流側コネクタと接続されるフィルタ付き輸液チューブ側コネクタを有し、
前記上流側コネクタと前記フィルタ無しコネクタとの一方のコネクタは、筒状をなし、その先端に他方のコネクタが挿入される開口を有する第１のコネクタ本体と、該第１のコネクタ本体の内腔部に前記流路と連通するように設けられ、先端部に開口する開口部を有する中空針と、該中空針で刺通可能な第１の刺通部を有し、前記第１のコネクタ本体の内腔部を封止する弾性材料で構成された第１の封止部材と、前記第１の刺通部を先端方向に付勢する付勢部材とを備え、
前記他方のコネクタは、筒状をなし、その先端が前記流路と連通する第２のコネクタ本体と、該第２のコネクタ本体の基端に設けられ、前記第１のコネクタ本体に挿入した際に前記第１の刺通部に密着する第２の刺通部を有し、かつ、前記第２のコネクタ本体の内腔部を封止する弾性材料で構成された第２の封止部材とを備え、
前記一方のコネクタには、前記一方のコネクタに前記他方のコネクタを挿入する際に、その挿入操作を途中で一旦規制し、その規制を解除すると前記挿入操作を再開可能とし、前記一方のコネクタから前記他方のコネクタを抜去する際に、その抜去操作を途中で一旦規制し、その規制を解除すると前記抜去操作を再開可能とする操作規制手段が設けられており、
前記一方のコネクタに前記他方のコネクタが挿入される過程では、前記第１の刺通部と前記第２の刺通部とが前記密着状態となったときに前記操作規制手段により前記挿入操作が一旦規制され、その規制を解除して前記挿入操作を再開すると、前記密着状態の前記第１の刺通部と前記第２の刺通部とが前記中空針で刺通され、かつ、該中空針の前記開口部が前記第２の刺通部よりも先端側に位置して前記第２のコネクタ本体の内腔部に露出し、
前記一方のコネクタから前記他方のコネクタが抜去される過程では、前記中空針の前記開口部が前記密着状態の前記第１の刺通部よりも基端側に位置したときに前記操作規制手段により前記抜去操作が一旦規制され、その規制を解除して前記抜去操作を再開すると、前記第１の刺通部と前記第２の刺通部とが離間するよう構成されていることが好ましい。
【００１３】
本発明の輸液チューブセットでは、前記フィルタ無し輸液チューブは、前記上流側コネクタと接続されるフィルタ無し輸液チューブ側コネクタを有し、
前記フィルタ付き輸液チューブは、前記下流側コネクタと接続されるフィルタ付き輸液チューブ側コネクタを有し、
前記下流側コネクタと前記フィルタ付きコネクタとの一方のコネクタは、筒状をなし、その先端に他方のコネクタが挿入される開口を有する第３のコネクタ本体と、該第３のコネクタ本体の内腔部に前記流路と連通するように設けられ、先端部に開口する開口部を有する中空針と、該中空針で刺通可能な第３の刺通部を有し、前記第３のコネクタ本体の内腔部を封止する弾性材料で構成された第３の封止部材と、前記第３の刺通部を先端方向に付勢する付勢部材とを備え、
前記他方のコネクタは、筒状をなし、その先端が前記流路と連通する第４のコネクタ本体と、該第４のコネクタ本体の基端に設けられ、前記第３のコネクタ本体に挿入した際に前記第３の刺通部に密着する第４の刺通部を有し、かつ、前記第４のコネクタ本体の内腔部を封止する弾性材料で構成された第４の封止部材とを備え、
前記一方のコネクタには、前記一方のコネクタに前記他方のコネクタを挿入する際に、その挿入操作を途中で一旦規制し、その規制を解除すると前記挿入操作を再開可能とし、前記一方のコネクタから前記他方のコネクタを抜去する際に、その抜去操作を途中で一旦規制し、その規制を解除すると前記抜去操作を再開可能とする操作規制手段が設けられており、
前記一方のコネクタに前記他方のコネクタが挿入される過程では、前記第３の刺通部と前記第４の刺通部とが前記密着状態となったときに前記操作規制手段により前記挿入操作が一旦規制され、その規制を解除して前記挿入操作を再開すると、前記密着状態の前記第３の刺通部と前記第４の刺通部とが前記中空針で刺通され、かつ、該中空針の前記開口部が前記第４の刺通部よりも先端側に位置して前記第４のコネクタ本体の内腔部に露出し、
前記一方のコネクタから前記他方のコネクタが抜去される過程では、前記中空針の前記開口部が前記密着状態の前記第３の刺通部よりも基端側に位置したときに前記操作規制手段により前記抜去操作が一旦規制され、その規制を解除して前記抜去操作を再開すると、前記第３の刺通部と前記第４の刺通部とが離間するよう構成されていることが好ましい。
【００１４】
本発明の輸液チューブでは、前記濾過部材は、網状をなす濾過網であることが好ましい。
【００１５】
本発明の輸液チューブでは、前記濾過網の目開きは、５０〜８００μｍであることが好ましい。
【００１６】
本発明の輸液チューブでは、前記上流側コネクタと前記下流側コネクタとは、視覚的に区別し得るよう構成されていることが好ましい。
【００１７】
本発明の輸液チューブでは、前記上流側コネクタの上流側に設けられ、液体を収納可能な液体収納容器が接続される接続部を有することが好ましい。
【図面の簡単な説明】
【００１８】
【図１】図１は、本発明の輸液チューブセットの第１実施形態を示す平面図である。
【図２】図２は、図１に示す輸液チューブセットの上流側コネクタ、下流側コネクタ、フィルタ無し輸液チューブ側コネクタおよびフィルタ付き輸液チューブ側コネクタを示す斜視図である。
【図３】図３は、図１に示す輸液チューブセットのフィルタ無し輸液チューブ側コネクタと上流側コネクタとを接続状態とするまでの過程を示す縦断面図である。
【図４】図４は、図１に示す輸液チューブセットのフィルタ無し輸液チューブ側コネクタと上流側コネクタとを接続状態とするまでの過程を示す縦断面図である。
【図５】図５は、図１に示す輸液チューブセットのフィルタ無し輸液チューブ側コネクタと上流側コネクタとを接続状態とするまでの過程を示す縦断面図である。
【図６】図６は、図１に示す輸液チューブセットのフィルタ無し輸液チューブ側コネクタと上流側コネクタとを接続状態とするまでの過程を示す縦断面図である。
【図７】図７は、図１に示す輸液チューブセットのフィルタ無し輸液チューブ側コネクタと上流側コネクタとを接続状態とするまでの過程を示す斜視図（図３に対応する図）である。
【図８】図８は、図１に示す輸液チューブセットのフィルタ無し輸液チューブ側コネクタと上流側コネクタとを接続状態とするまでの過程を示す斜視図（図４に対応する図）である。
【図９】図９は、図１に示す輸液チューブセットのフィルタ無し輸液チューブ側コネクタと上流側コネクタとを接続状態とするまでの過程を示す斜視図（図５に対応する図）である。
【図１０】図１０は、図１に示す輸液チューブセットのフィルタ無し輸液チューブ側コネクタと上流側コネクタとを接続状態とするまでの過程を示す斜視図（図６に対応する図）である。
【図１１】図１１は、図４中のＡ−Ａ線断面図である。
【図１２】図１２は、図５中のＢ−Ｂ線断面図である。
【図１３】図１３は、本発明の輸液チューブセットの第２実施形態における輸液チューブのコネクタを摸式的に示す平面図である。
【発明を実施するための形態】
【００１９】
以下、本発明の輸液チューブおよび輸液チューブセットを添付図面に示す好適な実施形態に基づいて詳細に説明する。
【００２０】
＜第１実施形態＞
図１は、本発明の輸液チューブブセットの第１実施形態を示す平面図、図２は、図１に示す輸液チューブセットの上流側コネクタ、下流側コネクタ、フィルタ無し輸液チューブ側コネクタおよびフィルタ付き輸液チューブ側コネクタを示す斜視図、図３〜図６は、それぞれ、図１に示す輸液チューブセットのフィルタ無し輸液チューブ側コネクタと上流側コネクタとを接続状態とするまでの過程を示す縦断面図、図７〜図１０は、それぞれ、図１に示す輸液チューブセットのフィルタ無し輸液チューブ側コネクタと上流側コネクタとを接続状態とするまでの過程を示す斜視図（図３〜図６にそれぞれ対応する図）、図１１は、図４中のＡ−Ａ線断面図、図１２は、図５中のＢ−Ｂ線断面図である。
【００２１】
なお、以下では、図１および図２中の上側を「上流側」、下側を下流側として説明を行う。
【００２２】
また、図２中での各コネクタについては、図中括弧書きで示すように、フィルタ無し輸液チューブ側コネクタ２ａ、フィルタ付き輸液チューブ側コネクタ２ｂでは、上側を「基端」、下側を「先端」とし、上流側コネクタ３ａの分岐管３２では、左側を「基端」、右側を「先端」とし、下流側コネクタ３ｂの分岐管３２では、右側を「基端」、左側を「先端」として説明を行う。また、図２においては、破線で囲った部位について、その断面を図示している。
【００２３】
また、図３〜図１２中の上側を「先端」、「上」または「上方」、下側を「基端」、「下」または「下方」として説明を行う。
【００２４】
これらの図に示す輸液チューブセット１００は、患者に各種の液体を投与し得る装置であり、主ラインを構成する輸液チューブ１と、その輸液チューブ１に着脱可能であり、主ラインから分岐した副ラインを構成する輸液チューブ１ａおよび１ｂとを有している。輸液チューブ１ｂは、液体は通過させるが細菌は通過させないフィルタ２６を有するフィルタ付き輸液チューブであり、輸液チューブ１ａは、前記フィルタを有していないフィルタ無し輸液チューブである。
【００２５】
この輸液チューブセット１００により投与する液体には、例えば、各種の薬液、補正用電解質液、生理食塩水、ブドウ糖液、リンゲル液、高カロリー液等の輸液製剤等、生体に投与し得るあらゆる液が含まれる。
【００２６】
また、薬液中の薬剤の種類は、特に限定されず、例えば、鎮静薬、静脈麻酔薬、麻酔系鎮痛薬、局所麻酔薬、非脱分極性筋弛緩薬、昇圧薬、降圧薬、冠血管拡張薬、利尿薬、抗不整脈薬、気管支拡張薬、止血剤、ビタミン剤、抗生剤、抗がん剤、制吐剤等いかなるものでもよい。
【００２７】
ここで、本実施形態では、輸液チューブ１に、輸液チューブ１ａ、１ｂのいずれか一方または両方を接続し、その輸液チューブ１ａや輸液チューブ１ｂから、医療従事者が誤って触れると危険な薬剤を含む薬液、具体的には、抗がん剤を含む薬液を投与する場合について説明する。また、輸液チューブ１に、輸液チューブ１ａ、１ｂのいずれも接続しない状態や、いずれか一方または両方を接続した状態で、その輸液チューブ１により、輸液製剤等を投与する場合について説明する。なお、抗がん剤を投与する際は、その副作用を予防または抑制するために、抗がん剤の投与に先だって、または、同時に、輸液チューブ１により、例えば、制吐剤等を投与することができる。
【００２８】
図１に示すように、輸液チューブ１は、可撓性を有し、輸液の際の液体の流路を構成するチューブ２１と、液体を収納可能な液体収納容器が接続される接続部として、チューブ２１の上流側の端部に設けられた鋭利な針先を有する瓶針２２と、チューブ２１の下流側の端部に設けられた図示しないコネクタとを有している。そのコネクタは、患者の血管に留置された留置針やカテーテルに接続されたコネクタと接続されるようになっている。なお、チューブ２１の下流側の端部には、前記コネクタに限らず、例えば、患者に穿刺される穿刺針等が設けられていれもよい。
【００２９】
輸液の際は、輸液チューブ１の瓶針２２が、所定の薬剤を含む薬液や輸液製剤等が収納されたバッグの図示しないゴム栓を刺通し、これにより、瓶針２２を介し、そのバッグと輸液チューブ１とが接続される。
【００３０】
また、チューブ２１の途中、すなわち、チューブ２１の瓶針２２よりも下流側には、上流側から下流側に向って、点滴筒２３と、輸液の際の液体の流量を調節する流量調節手段として、ローラークレンメ２４と、上流側コネクタ３ａと、下流側コネクタ３ｂとが、この順序で設けられている。また、必要に応じて、チューブ２１の所定箇所には、チューブ２１内の流路を開閉するクレンメ２５が設置される。なお、上流側コネクタ３ａおよび下流側コネクタ３ｂについては、後で詳述する。
【００３１】
点滴筒２３は、瓶針２２の近傍に設置されており、この点滴筒２３により、輸液の際の液体の流量を目視で確認することができる。
【００３２】
ローラークレンメ２４は、クレンメ本体２４１と、クレンメ本体２４１に対して移動可能に設置されたローラー２４２とで構成されており、ローラー２４２の外周面と、クレンメ本体２４１の所定角度で傾斜した底面との間にチューブ２１を挟み、クレンメ本体２４１に対し、ローラー２４２を移動させることによって、前記チューブ２１を挟む度合いが変化し、これにより液体の流量を調節するようになっている。
【００３３】
すなわち、ローラー２４２を所定方向に移動させると、前記チューブ２１を挟む度合いが大きくなり、液体の流量が少なくなる。そして、最後まで移動させると、チューブ２１の内腔が閉塞し、液体は流れなくなる。
【００３４】
一方、ローラー２４２を前記と逆方向に移動させると、前記チューブ２１を挟む度合いが小さくなり、液体の流量が多くなる。そして、最後まで移動させると、チューブ２１の内腔が全開となり、液体の流量は最大となる。
【００３５】
輸液チューブ１ａは、可撓性を有し、輸液の際の液体の流路を構成するチューブ２１と、チューブ２１の上流側の端部に設けられたコネクタ２７と、チューブ２１の下流側の端部に設けられたフィルタ無し輸液チューブ側コネクタ２ａとを有している。なお、フィルタ無し輸液チューブ側コネクタ２ａについては、後で詳述する。
【００３６】
コネクタ２７は、主管２７１と、主管２７１から分岐した分岐管２７２とを有している。主管２７１は、チューブ２１と同軸上に配置され、チューブ２１の上流側の端部に接続されている。また、主管２７１の上流側には、液体を収納可能な液体収納容器が接続される接続部として、鋭利な針先を有する瓶針部２７３が形成されている。また、分岐管２７２は、主管２７１の側方、すなわち、チューブ２１の側方に突出している。
【００３７】
また、主管２７１は、液体の流路を構成し、互いに独立した２つの内腔を有している。一方の内腔は、主管２７１の先端部から基端部まで形成され、その一端側が瓶針部２７３の先端部に開口し、他端側がチューブ２１内の流路に連通している。また、他方の内腔は、主管２７１の先端部から分岐管２７２の部位まで形成され、その一端側が瓶針部２７３の先端部に開口し、他端側が分岐管２７２の内腔に連通している。
【００３８】
また、チューブ２１の途中、すなわち、チューブ２１のコネクタ２７とフィルタ無し輸液チューブ側コネクタ２ａとの間には、上流側から下流側に向って、点滴筒２３と、輸液の際の液体の流量を調節する流量調節手段として、ローラークレンメ２４とが、この順序で設けられている。また、必要に応じて、チューブ２１の所定箇所には、チューブ２１内の流路を開閉する図示しないクレンメが設置される。なお、この輸液チューブ１ａには、液体は通過させるが細菌は通過させないフィルタは、設けられていない。
【００３９】
輸液の際は、輸液チューブ１ａのコネクタ２７の瓶針部２７３が、抗がん剤を含む薬液が収納された図示しないバッグのゴム栓を刺通し、これにより、瓶針部２７３を介し、そのバッグと輸液チューブ１ａとが接続される。なお、前記バッグ内には、予め薬液が収納されていてもよく、また、後から薬液を収納するようになっていてもよい。
【００４０】
輸液チューブ１ｂは、可撓性を有し、輸液の際の液体の流路を構成するチューブ２１と、チューブ２１の上流側の端部に設けられたコネクタ２７と、チューブ２１の下流側の端部に設けられたフィルタ付き輸液チューブ側コネクタ２ｂとを有している。なお、フィルタ付き輸液チューブ側コネクタ２ｂについては、後で詳述する。また、コネクタ２７の構成は、前記輸液チューブ１ａのコネクタ２７と同様であるので、その説明は、省略する。
【００４１】
また、チューブ２１の途中、すなわち、チューブ２１のコネクタ２７とフィルタ付き輸液チューブ側コネクタ２ｂとの間には、上流側から下流側に向って、点滴筒２３と、輸液の際の液体の流量を調節する流量調節手段として、ローラークレンメ２４と、液体は通過させるが細菌は通過させないフィルタ２６とが、この順序で設けられている。また、必要に応じて、チューブ２１の所定箇所には、チューブ２１内の流路を開閉する図示しないクレンメが設置される。
【００４２】
また、フィルタ２６の目開きは、液体は通過させるが細菌は通過させない程度であれば特に限定されないが、０．１〜０．８μｍ程度であることが好ましく、０．２〜０．５μｍ程度であることがより好ましい。
【００４３】
輸液の際は、輸液チューブ１ｂのコネクタ２７の瓶針部２７３が、抗がん剤を含む薬液が収納された図示しないバッグのゴム栓を刺通し、これにより、瓶針部２７３を介し、そのバッグと輸液チューブ１ｂとが接続される。なお、前記バッグ内には、予め薬液が収納されていてもよく、また、後から薬液を収納するようになっていてもよい。
【００４４】
次に、各コネクタについて説明する。
上流側コネクタ３ａは、主管３１と、主管３１から分岐した分岐管３２とを有している。
【００４５】
主管３１は、チューブ２１と同軸上に配置され、チューブ２１の途中に接続されている。また、分岐管３２は、主管３１の側方、すなわち、チューブ２１の側方に突出しており、この分岐管３２の端部に、輸液チューブ１ａのフィルタ無し輸液チューブ側コネクタ２ａが着脱自在に接続されるようになっている。すなわち、分岐管３２の端部は、接続口を構成する。なお、上流側コネクタ３ａの主管３１の内腔および分岐管３２については、後で詳述する。
【００４６】
下流側コネクタ３ｂは、主管３１と、主管３１から分岐した分岐管３２とを有している。
【００４７】
主管３１は、チューブ２１と同軸上に配置され、チューブ２１に接続されている。また、分岐管３２は、主管３１の側方、すなわち、チューブ２１の側方に突出しており、この分岐管３２の端部に、輸液チューブ１ｂのフィルタ付き輸液チューブ側コネクタ２ｂが着脱自在に接続されるようになっている。すなわち、分岐管３２の端部は、接続口を構成する。なお、下流側コネクタ３ｂの主管３１の内腔および分岐管３２については、後で詳述する。
【００４８】
また、下流側コネクタ３ｂには、チューブ２１内の流路を流れる液体中の異物を除去する濾過部材として、複数の開口を有する、すなわち、網状をなす濾過網１２が設けられている。濾過網１２は、主管３１の分岐管３２よりも上流側の部位、図示の構成では、主管３１の上流側の端部に設置されている。これにより、濾過網の１２の下流側に下流側コネクタ３ｂの分岐管３２が位置し、また、濾過網の１２の上流側に上流側コネクタ３ａの分岐管３２が位置する。
【００４９】
また、濾過網１２の目開きは、フィルタ２６の目開きよりも小さく設定されている。具体的には、濾過網１２の目開きは、５０〜８００μｍ程度であることが好ましく、１００〜５００μｍ程度であることがより好ましい。これにより、チューブ２１内の流路を液体が流れるときの抵抗を比較的小さくしつつ、その液体中の異物を除去することができる。
【００５０】
ここで、この輸液チューブセット１００では、輸液チューブ１ａを用い、輸液チューブ１に接続して輸液を行う場合は、その輸液チューブ１ａは、輸液チューブ１の上流側コネクタ３ａに接続され、また、輸液チューブ１ｂを用い、輸液チューブ１に接続して輸液を行う場合は、その輸液チューブ１ｂは、輸液チューブ１の下流側コネクタ３ｂに接続される。すなわち、輸液チューブ１ａのフィルタ無し輸液チューブ側コネクタ２ａは、輸液チューブ１の上流側コネクタ３ａの分岐管３２に着脱自在に接続され、また、輸液チューブ１ｂのフィルタ付き輸液チューブ側コネクタ２ｂは、輸液チューブ１の下流側コネクタ３ｂの分岐管３２に着脱自在に接続される。
【００５１】
これにより、輸液チューブ１ａを用いて輸液を行う場合は、濾過網１２は、薬液の流路に介在し、また、輸液チューブ１ｂを用いて輸液を行う場合は、濾過網１２は、薬液の流路に介在しない。
【００５２】
このようにする理由は、輸液チューブ１ｂは、フィルタ２６を有しているので、輸液の際、そのフィルタ２６により、流路を流れる薬液中の細菌の他、異物を除去することができ、このため、流路中に濾過網１２を介在させる必要がない。また、流路中に濾過網１２を介在させないことにより、介在させる場合に比べ、薬液が流路を流れるときの抵抗を小さくすることができる。
【００５３】
一方、輸液チューブ１ａは、フィルタ２６を有していないので、輸液の際、流路中に濾過網１２を介在させ、その濾過網１２により、流路を流れる薬液中の異物を除去する。
【００５４】
この輸液チューブセット１００では、上流側コネクタ３ａと下流側コネクタ３ｂとは、視覚的に区別し得るよう構成されており、また、フィルタ無し輸液チューブ側コネクタ２ａとフィルタ付き輸液チューブ側コネクタ２ｂとは、視覚的に区別し得るよう構成されている。
【００５５】
すなわち、上流側コネクタ３ａとフィルタ無し輸液チューブ側コネクタ２ａとが対応していること、すなわち、対であることが視覚的に区別し得るよう構成されており、また、下流側コネクタ３ｂとフィルタ付き輸液チューブ側コネクタ２ｂとが対応していること、すなわち、対であることが視覚的に区別し得るよう構成されている。
【００５６】
本実施形態では、上流側コネクタ３ａとフィルタ無し輸液チューブ側コネクタ２ａとが同一の色を有し、また、下流側コネクタ３ｂとフィルタ付き輸液チューブ側コネクタ２ｂとが、同一の色で、かつ、前記上流側コネクタ３ａおよびフィルタ無し輸液チューブ側コネクタ２ａとは異なる色を有している。これにより、輸液チューブ１ａを輸液チューブ１に接続する場合と、輸液チューブ１ｂを輸液チューブ１に接続する場合とのそれぞれにおいて、誤接続を防止することができ、確実に、フィルタ無し輸液チューブ側コネクタ２ａを上流側コネクタ３ａに接続し、また、フィルタ付き輸液チューブ側コネクタ２ｂを下流側コネクタ３ｂに接続することができる。
【００５７】
なお、上流側コネクタ３ａ、フィルタ無し輸液チューブ側コネクタ２ａ、下流側コネクタ３ｂおよびフィルタ付き輸液チューブ側コネクタ２ｂにおいて、前記同一の色を有する部位は、それぞれ、その一部であってもよく、また、全体であってもよい。
【００５８】
また、前記のように色により区別する構成に限らず、例えば、形状により区別する構成であってもよい。その具体例としては、上流側コネクタ３ａとフィルタ無し輸液チューブ側コネクタ２ａとに同一の形状のマーカを設け、また、下流側コネクタ３ｂとフィルタ付き輸液チューブ側コネクタ２ｂとに、同一の形状で、かつ、前記上流側コネクタ３ａおよびフィルタ無し輸液チューブ側コネクタ２ａのマーカとは異なる形状のマーカを設ける。
【００５９】
次に、輸液チューブ１ａのフィルタ無し輸液チューブ側コネクタ（メスコネクタ）２ａと、輸液チューブ１の上流側コネクタ３ａの分岐管（オスコネクタ）３２とについて説明する。
【００６０】
この輸液チューブセット１００では、輸液チューブ１ａを用いて輸液を行う場合は、フィルタ無し輸液チューブ側コネクタ２ａと上流側コネクタ３ａとを相対的に移動させ、フィルタ無し輸液チューブ側コネクタ２ａにその先端側から上流側コネクタ３ａの分岐管３２を挿入して、これらのコネクタ同士を接続した接続状態（図６、図１０に示す状態）とする。
【００６１】
図３〜図６に示すように、フィルタ無し輸液チューブ側コネクタ２ａは、円筒状をなす外筒４および内筒７で構成された第１のコネクタ本体と、外筒４に支持された中空針５と、内筒７に支持された第１の封止部材６と、第１の封止部材６を先端方向に向かって付勢する付勢部材としてのコイルバネ８と、外筒４に設置された挟圧部材９とを有している。
【００６２】
図２、図３に示すように、外筒４は、有底筒状をなしている。この外筒４の先端開口から上流側コネクタ３ａの分岐管３２が挿入される。
【００６３】
また、外筒４の底部４１の中心部には、管状をなす接続部４２が外筒４と同心的に形成されている。この接続部４２は、その先端部に中空針５の基端部を支持することができる。これにより、接続部４２と中空針５とが連通する。また、接続部４２の基端部には、チューブ２１が接続されている。これにより、接続部４２を介して、チューブ２１内の流路と、中空針５の内腔（第１の流路５２）とが連通する。
【００６４】
図７〜図１０に示すように、外筒４の壁部の途中には、当該壁部を貫通する溝部４８が形成されている。この溝部４８は、側面視で「Ｌ」字状をなし、外筒４の壁部の周方向に沿って形成された横溝４８１と、横溝４８１の一端から外筒４の軸方向に沿って基端方向へ形成された縦溝４８２とで構成されている。溝部４８には、内筒７の突部７６が挿入される。そして、内筒７の突部７６は、溝部４８内を移動することができる。
【００６５】
図３〜図６に示すように、外筒４の壁部の先端部には、その中心軸を介して対向して形成された一対の溝部４３が形成されている。この溝部４３に、リング状をなす２つの挟圧部材９が重なった状態で挿入されている。挟圧部材９は、外筒４の中で上流側コネクタ３ａの分岐管３２（第２のコネクタ本体１０）の先端方向への移動を規制するストッパ１７の一部として機能するものである。このストッパ１７の構成としては、公知の構成（例えば特開平８−１２６６３０号公報に記載の「ハブ着脱機構」の構成）を用いることができる。
【００６６】
この場合、各挟圧部材９は、それぞれ、その外周部の一部に当該挟圧部材９を押圧操作する操作部９２を有する。この操作部９２を押圧することにより、挟圧部材９が外筒４の軸に対し直交する方向に移動する。
【００６７】
また、各挟圧部材９は、それぞれ、操作部９２と反対側の部分に、内側に突出した複数の突部（第１の係合部）９１を有している。そして、一方の挟圧部材９の突部９１と、他方の挟圧部材９の突部９１とは、外筒４の中心軸を介して対向して配置される。
【００６８】
さらに、各挟圧部材９は、それぞれ、突部９１と同じ側に、外周部から突出した一対の弾性片９３を有している。一方の挟圧部材９の各弾性片９３は、他方の挟圧部材９の操作部９２の内側に当接し、これと同様に、他方の挟圧部材９の各弾性片９３は、一方の挟圧部材９の操作部９２の内側に当接している。
【００６９】
各挟圧部材９を押圧操作する際には、弾性片９３の付勢力（弾性力）に抗して、その押圧操作を行なうこととなる。この操作により、一方の挟圧部材９の突部９１と、他方の挟圧部材９の突部９１とが互いに離間した状態となる。そして、各挟圧部材９に対する押圧力を解除すると、弾性片９３の付勢力により、一方の挟圧部材９の突部９１と、他方の挟圧部材９の突部９１とが接近した状態となる。
【００７０】
一方の挟圧部材９の突部９１と、他方の挟圧部材９の突部９１とが接近した状態では、各突部９１が一括して上流側コネクタ３ａの分岐管３２の係合部（第２の係合部）１０５ａまたは１０５ｂに係合する（図４〜図６参照）。これにより、外筒４から第２のコネクタ３が不本意に離脱するのを確実に防止することができる。
【００７１】
また、一方の挟圧部材９の突部９１と、他方の挟圧部材９の突部９１とが互いに離間した状態では、各挟圧部材９と上流側コネクタ３ａの分岐管３２との係合が解除される。
【００７２】
図２に示すように、上流側コネクタ３ａの分岐管３２の係合部１０５ａおよび１０５ｂは、それぞれ、第２のコネクタ本体１０の外周部に形成され、その外径が拡径したフランジ部で構成されている。係合部１０５ａおよび１０５ｂは、それぞれ、第２のコネクタ本体１０の軸方向に沿って離間して配置されている。そして、図４、図６に示すように、上流側コネクタ３ａの分岐管３２のフィルタ無し輸液チューブ側コネクタ２ａに対する挿入深さに応じて、係合部１０５ａおよび１０５ｂのうちの一方が、前述したように各突部９１と係合する。
【００７３】
輸液チューブセット１００では、挟圧部材９と上流側コネクタ３ａの分岐管３２の係合部１０５ａおよび１０５ｂとが、外筒４と分岐管３２とをロックする「ストッパ１７」を構成していると言うことができる。
【００７４】
図３、図７に示すように、外筒４の壁部には、その内周部４７の溝部４８と溝部４３との間の部分に、内側に向かって突出した段差部４９が複数（本実施形態では４つ）形成されている。図３に示すように、各段差部４９に内筒７が当接することにより、当該内筒７の先端方向への移動を規制することができ、よって、内筒７が外筒４から離脱するのを確実に防止することができる。
【００７５】
図３（図４〜図６についても同様）に示すように、外筒４の内側には、内筒７が配置されて（支持されて）いる。この内筒７は、外筒４に対し変位可能、すなわち、外筒４の軸回りに回動可能であるとともに、外筒４の軸方向に沿って移動可能なものである。
【００７６】
内筒７は、第１の封止部材６が設置される封止部材設置部７３を有している。封止部材設置部７３は、内筒７の内側に設けられ、第１の封止部材６を上下方向から挟持する円環状の一対の板状部７３１、７３２で構成されている。
【００７７】
また、内筒７は、当該内筒７が変位する際に中空針５を摺動する摺動部材７４と、摺動部材７４を固定する固定部７５とを有している。摺動部材７４は、筒状をなし、その内径が縮径した縮径部７４１を有する弾性材料で構成された部材である。摺動部材７４の構成材料としては、特に限定されないが、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。内筒７が変位する際には、縮径部７４１が中空針５の外周部５４に当接して摺動する。固定部７５は、板状部７３２から一体的に図３中下方に向かって突出形成された筒状をなす部分である。
【００７８】
図７（図８〜図１０についても同様）に示すように、内筒７の壁部には、その外周部に突部７６が突出形成されている。この突部７６は、外筒４の溝部４８に挿入され、内筒７の変位に伴って溝部４８内を移動する。これにより、フィルタ無し輸液チューブ側コネクタ２ａは、突部７６が横溝４８１に位置した第１の状態（図７、図８に示す状態）と、第１の状態から内筒７を外筒４に対し回転操作することにより突部７６が横溝４８１と縦溝４８２との交差部４８３に位置する第２の状態（図９に示す状態）と、第２の状態から内筒７を外筒４に対し押し込み操作することにより突部７６が縦溝４８２に位置する第３の状態（図１０に示す状態）とを取り得る。
【００７９】
フィルタ無し輸液チューブ側コネクタ２ａと上流側コネクタ３ａとを相対的に移動させて、図７（図３）に示す第１の状態のフィルタ無し輸液チューブ側コネクタ２ａに上流側コネクタ３ａの分岐管３２を挿入する（以下この操作を「挿入操作」と言う）と、分岐管３２の第２の封止部材１１がフィルタ無し輸液チューブ側コネクタ２ａの第１の封止部材６に当接して、当該第１の封止部材６を基端方向に押圧し、内筒７ごと移動させようとするが、内筒７の突部７６が外筒４の横溝４８１に位置しているため、内筒７の基端方向への移動が規制される（図４、図８参照）。
【００８０】
図８に示す状態から例えば内筒７の突部７６に指を掛けて、図９に示すように、内筒７を矢印方向に回転操作すると、フィルタ無し輸液チューブ側コネクタ２ａは、図９に示す第２の状態となる。これにより、内筒７の基端方向への移動の規制が解除されて、その移動が可能となり、よって、挿入操作を再開することができる。なお、図５に示すように、第２の状態でも第１の封止部材６と第２の封止部材１１との密着状態が維持されている。また、第２の状態では、内筒７と上流側コネクタ３ａの分岐管３２（第２のコネクタ本体１０）とがロック手段１９によりロックされて（連結されて）いる。これにより、第１の封止部材６の第１の刺通部６１と第２の封止部材１１の第２の刺通部１１１との密着状態が固定される。このロック手段１９については、後述する。
【００８１】
図９に示す状態から上流側コネクタ３ａの分岐管３２をコイルバネ８の付勢力に抗して基端方向に押し込むと、挿入操作が再開され、フィルタ無し輸液チューブ側コネクタ２ａは、図１０に示す第３の状態となる。なお、図６に示すように、第３の状態でも第１の封止部材６と第２の封止部材１１との密着状態が維持されている。
【００８２】
図１０に示す状態（接続状態）で、フィルタ無し輸液チューブ側コネクタ２ａと上流側コネクタ３ａとを相対的に移動させて、フィルタ無し輸液チューブ側コネクタ２ａから上流側コネクタ３ａの分岐管３２を抜去する（以下この操作を「抜去操作」と言う）際には、前記とは逆に、コイルバネ８の付勢力に従って、分岐管３２とともに内筒７が先端方向へ移動し、フィルタ無し輸液チューブ側コネクタ２ａは、図９に示す第２の状態となる。この第２の状態では、内筒７の突部７６のそれ以上の先端方向への移動が規制される。これにより、抜去操作を途中で一旦規制することができる。
【００８３】
さらに、第２の状態から内筒７を前記と反対方向に回転操作すると、フィルタ無し輸液チューブ側コネクタ２ａは、図８に示す第１の状態となる。これにより、ロック手段１９による内筒７と上流側コネクタ３ａの分岐管３２とのロック状態が解除されて、上流側コネクタ３ａの分岐管３２のみの先端方向への移動が可能となり、よって、抜去操作を再開することができる。この抜去操作を再開すると、フィルタ無し輸液チューブ側コネクタ２ａと上流側コネクタ３ａの分岐管３２とは、再度、図７に示す分離状態となる。
【００８４】
このように輸液チューブセット１００では、内筒７の突部７６の外筒４の溝部４８における位置に応じて、挿入操作の規制と、挿入操作の規制の解除と、抜去操作の規制と、抜去操作の規制の解除とが行われる。従って、内筒７の突部７６と外筒４の溝部４８とは、これらの操作を規制する「操作規制手段１８」を構成するものであると言うことができる。
【００８５】
図３に示すように、内筒７の先端部には、複数（本実施形態では４枚）の係合片（弾性片）７７が先端方向に向かって突出形成されている。各係合片７７は、それぞれ、その先端部に上流側コネクタ３ａの分岐管３２の凹部（係合部）１０１ａに係合可能な爪７７１を有している。
【００８６】
なお、凹部１０１ａは、第２のコネクタ本体１０の外周部１０１の先端部に、その周方向に沿ってリング状に形成された部分である。
【００８７】
各係合片７７は、フィルタ無し輸液チューブ側コネクタ２ａに上流側コネクタ３ａの分岐管３２が未だ挿入されていない状態では、外方に向かって傾斜している。これにより、フィルタ無し輸液チューブ側コネクタ２ａに分岐管３２を挿入した状態で、各係合片７７は、それぞれ、分岐管３２の凹部１０１ａから離間した状態（図４、図１１に示す状態）と、外筒４の押圧部４７１に押圧されて凹部１０１ａに接近して係合する状態（図５、図６、図１２に示す状態）とを取り得る。そして、この係合により、内筒７と上流側コネクタ３ａの分岐管３２とが確実にロックされる。
【００８８】
なお、押圧部４７１は、外筒４の内周部４７にその軸方向に沿って複数（本実施形態では４つ）形成されたリブで構成されている。
【００８９】
また、これらの押圧部４７１は、外筒４の周方向に沿って等間隔に配置されている。図１１に示す状態では、隣接する押圧部４７１同士の間に１枚の係合片７７が位置し、係合片７７対する押圧部４７１の押圧が未だなされていない。このとき、フィルタ無し輸液チューブ側コネクタ２ａは、前記第１の状態となっている。
【００９０】
各係合片７７は、内筒７の軸回りに等間隔に配置されている。図１１に示す状態から前述したように内筒７を回転操作することにより、係合片７７がそれぞれ押圧部４７１の傾斜面４７２を登り、結果、１つの押圧部４７１が１枚の係合片７７をその弾性力に抗して押圧することとなる。これにより、４枚の係合片７７が上流側コネクタ３ａの分岐管３２の周方向に沿って均一に係合し、よって、内筒７と分岐管３２とがより確実にロックされる。このとき、フィルタ無し輸液チューブ側コネクタ２ａは、前記第２の状態となっている。この押圧部４７１が係合片７７を押圧した状態は、フィルタ無し輸液チューブ側コネクタ２ａが前記第３の状態になっても維持される。
【００９１】
このように輸液チューブセット１００では、内筒７の係合片７７、外筒４の押圧部４７１、上流側コネクタ３ａの分岐管３２の凹部１０１ａは、内筒７と分岐管３２とを確実にロックする「ロック手段１９」を構成していると言うことができる。そして、このロック手段１９は、フィルタ無し輸液チューブ側コネクタ２ａが第１の状態から第２の状態となったときに作動する、すなわち、挿入操作の規制を解除する解除操作に連動して作動する。また、この反対に、ロック手段１９は、フィルタ無し輸液チューブ側コネクタ２ａが第２の状態から第１の状態となったときも作動する、すなわち、抜去操作の規制を解除する解除操作に連動しても作動する。これにより、フィルタ無し輸液チューブ側コネクタ２ａが第１の状態と第２の状態との間を相互変位する間、すなわち、中空針５が第１の封止部材６および第２の封止部材１１を刺通する前後において、第１の封止部材６と第２の封止部材１１との密着（液密性）を確実に保つことができ、かつ、抜去時に上流側コネクタ３ａの分岐管３２のみが不意に抜去される（脱落する）のを防止することができる。
【００９２】
なお、外筒４、内筒７、挟圧部材９の構成材料としては、特に限定されず、各種樹脂が挙げられるが、その中でも、成形が容易であり、かつ水蒸気透過性が低い点で、ポリプロピレン、環状ポリオレフィン、ポリエステルのような樹脂が好ましい。
【００９３】
図３に示すように、外筒４の軸上には、金属材料で構成された中空針５が配置されている。前述したように、この中空針５は、その基端部が外筒４の接続部４２に支持されている。
【００９４】
中空針５は、管状をなし、その内腔が薬液（液体）が通過可能な第１の流路５２として機能するものである。また、中空針５は、その先端が閉塞しており、壁部の先端部に開口した側孔（開口部）５３が形成されている。側孔５３は、第１の流路５２と連通している。
【００９５】
中空針５の先端には、鋭利な針先５１が形成されている。図６に示すように、この針先５１により、フィルタ無し輸液チューブ側コネクタ２ａの第１の封止部材６や後述する上流側コネクタ３ａの分岐管３２の第２の封止部材１１を刺通することができる。図６に示すように、接続状態では、中空針５は、針先５１から側孔５３が形成されている部位までが分岐管３２の内腔に露出する（突出する）。これにより、中空針５の側孔５３を介して、中空針５の内腔と分岐管３２の内腔とが連通する、すなわち、フィルタ無し輸液チューブ側コネクタ２ａの第１の流路５２と後述する分岐管３２の第２の流路１０２とが連通する。
【００９６】
図３に示すように、内筒７の内側には、第１の封止部材６が設置されている。この第１の封止部材６は、内筒７の内腔部を封止するものであり、円板状をなし、その厚さ方向が内筒７の軸方向に一致するように配置されている。これにより、第１の封止部材６は、中空針５の軸方向に沿って基端側に向かって移動する際に、中空針５の針先５１によって容易かつ確実に刺通される。
【００９７】
また、第１の封止部材６は、その中心部の厚さが縁部の厚さよりも厚い弾性体である。この中心部は、中空針５で刺通される第１の刺通部６１となっている。また、第１の封止部材６の縁部は、前述したように、内筒７の一対の板状部７３１、７３２により挟持されている。これにより、第１の封止部材６は、内筒７に対し確実に固定され、内筒７とともに移動することができる。
【００９８】
また、第１の封止部材６（第１の刺通部６１）と第２の封止部材１１（第２の刺通部１１１）の中空針５により刺通された部分と、該部分に接する中空針５の外周部５４との摺動抵抗、および摺動部材７４の縮径部７４１と該部分に接する中空針５の外周部５４との摺動抵抗の合計が、コイルバネ８の付勢力よりも小さくなるように設定されることが好ましい。これにより、フィルタ無し輸液チューブ側コネクタ２ａが図６に示す第３の状態にあるストッパ１７を解除した際に、コイルバネ８の付勢力によってフィルタ無し輸液チューブ側コネクタ２ａが図５に示す第２の状態に戻ることができる。なお、これらの力同士の大小関係の設定方法としては、特に限定されないが、例えば、第１の封止部材６、第２の封止部材１１や摺動部材７４の構成材料の選択、第１の刺通部６１や第２の刺通部１１１の厚さの調整、コイルバネ８の構成材料の選択、線径、巻き数の調整、中空針５の外径の調整等を行う方法が挙げられる。
【００９９】
図３に示すように、第１の刺通部６１は、外力を付与しない自然状態で、その先端面６１２が隆起している。そして、図４に示すように、第１の封止部材６と第２の封止部材１１とが密着した密着状態では、隆起していた先端面６１２が潰れる。これにより、密着状態がより確実となり、よって、第１の封止部材６と第２の封止部材１１との境界部での液密性を確保することができる。これにより、接続状態での薬液の移送を安全かつ確実に行なうことができる。
【０１００】
なお、第１の封止部材６の構成材料としては、特に限定されず、例えば、前述した摺動部材７４の構成材料として例示したものと同様のものを用いることができる。
【０１０１】
図３に示すように、外筒４内には、ステンレス鋼等のような金属材料で構成されたコイルバネ８が設置されている。コイルバネ８は、圧縮状態で、その先端が内筒７の板状部７３２に当接し、基端が外筒４の底部４１に当接している。これにより、内筒７を介して、第１の封止部材６を先端方向に向かって確実に付勢することができる。なお、付勢する手段としては、コイルバネ８の他に、蛇腹状の板バネや、円筒状や蛇腹状のゴムからなるものであってもよい。
【０１０２】
図２、図３に示すように、上流側コネクタ３ａの分岐管３２は、筒状の第２のコネクタ本体１０と、第２のコネクタ本体１０に設けられた第２の封止部材１１とを有している。
【０１０３】
第２のコネクタ本体１０は、円筒状をなす部材である。この第２のコネクタ本体１０の内腔は、液体が通過可能な第２の流路１０２として機能する。
【０１０４】
また、前述した上流側コネクタ３ａの主管３１の内腔は、上流側の部位と下流側の部位とに分離しており、その上流側の部位と下流側の部位とは、第２の流路１０２を介して連通している。
【０１０５】
すなわち、第２の流路１０２は、第２のコネクタ本体１０の基端部において互いに連通している２つの単位流路１０２ａ、１０２ｂを有しており、一方の単位流路１０２ａは、主管３１の内腔の上流側の部位に連通し、他方の単位流路１０２ｂは、主管３１の内腔の下流側の部位に連通している。
【０１０６】
また、前述したように、第２のコネクタ本体１０の途中には、フィルタ無し輸液チューブ側コネクタ２ａの第１の係合部９１と係合する係合部１０５ａ、１０５ｂが形成されている。
【０１０７】
また、第２のコネクタ本体１０の外周部には、その長手方向に沿った複数（本実施形態では４本）のリブ１０４が形成されている。これらのリブ１０４は、第２のコネクタ本体１０の外周部の周方向に沿って等間隔に配置されている。これにより、第２のコネクタ本体１０を補強することできる。
【０１０８】
第２のコネクタ本体１０は、その先端部に、第２の封止部材１１が設置される封止部材設置部１０６を有している。封止部材設置部１０６は、第２の封止部材１１を上下方向から挟持する円環状の一対の板状部１０６ａ、１０６ｂで構成されている。
【０１０９】
なお、第２のコネクタ本体１０の構成材料としては、特に限定さえないが、例えば、フィルタ無し輸液チューブ側コネクタ２ａの外筒４、内筒７、挟圧部材９についての説明で挙げたような材料を用いることができる。
【０１１０】
図３に示すように、第２の封止部材１１は、第２のコネクタ本体１０の内腔部を封止するものであり、円板状をなし、その厚さ方向が第２のコネクタ本体１０の軸方向に一致するように配置されている。これにより、第２の封止部材１１は、密着した第１の封止部材６とともに、中空針５の針先５１によって容易かつ確実に刺通される。
【０１１１】
また、第２の封止部材１１は、その中心部の厚さが縁部の厚さよりも厚い弾性体である。この中心部は、中空針５で刺通される第２の刺通部１１１となっている。また、第２の封止部材１１の縁部は、前述したように、第２のコネクタ本体１０の一対の板状部１０６ａ、１０６ｂにより挟持されている。これにより、第２の封止部材１１は、第２のコネクタ本体１０に対し確実に固定される。
【０１１２】
図３に示すように、第２の刺通部１１１は、外力を付与しない自然状態で、その基端面１１２が隆起している。そして、図４に示すように、第１の封止部材６と第２の封止部材１１とが密着した密着状態では、隆起していた基端面１１２が第１の封止部材６の先端面６１２と同様に潰れる。これにより、密着状態がより確実となり、よって、第１の封止部材６と第２の封止部材１１との境界部での液密性を確保することができる。
【０１１３】
なお、第２の封止部材１１の構成材料としては、特に限定されず、例えば、前述した摺動部材７４の構成材料として例示したものと同様のものを用いることができる。
【０１１４】
次に、フィルタ付き輸液チューブ側コネクタ２ｂ、下流側コネクタ３ｂについて説明する。
【０１１５】
フィルタ付き輸液チューブ側コネクタ２ｂの構成は、前述したフィルタ無し輸液チューブ側コネクタ２ａと同様である。すなわち、フィルタ付き輸液チューブ側コネクタ２ｂは、円筒状をなす外筒４および内筒７で構成された第３のコネクタ本体と、外筒４に支持された中空針５と、内筒７に支持された第３の刺通部を有する第３の封止部材と、第３の封止部材を先端方向に向かって付勢する付勢部材としてのコイルバネ８と、外筒４に設置された挟圧部材９とを備えている。なお、前記第３のコネクタ本体および第３の刺通部を有する第３の封止部材の構成は、それぞれ、前述したフィルタ無し輸液チューブ側コネクタ２ａの第１のコネクタ本体および第１の刺通部６１を有する第１の封止部材６と同様である。
【０１１６】
以下、フィルタ付き輸液チューブ側コネクタ２ｂの説明は、省略するが、そのフィルタ付き輸液チューブ側コネクタ２ｂについては、前述したフィルタ無し輸液チューブ側コネクタ２ａの各部位の名称の「第１」を「第３」と読み替えるものとする。
【０１１７】
また、下流側コネクタ３ｂの主管３１の内腔および分岐管３２の構成は、前述した上流側コネクタ３ａと同様である。すなわち、下流側コネクタ３ｂの分岐管３２は、筒状の第４のコネクタ本体１３と、第４のコネクタ本体１３に設けられた第４の刺通部を有する第４の封止部材とを備えている。なお、前記第４のコネクタ本体１３および第４の刺通部を有する第４の封止部材の構成は、それぞれ、前述した上流側コネクタ３ａの第２のコネクタ本体１０および第２の刺通部１１１を有する第２の封止部材１１と同様である。
【０１１８】
以下、下流側コネクタ３ｂの説明は、省略するが、その下流側コネクタ３ｂについては、前述した上流側コネクタ３ａの各部位の名称の「第２」を「第４」と読み替えるものとする。
【０１１９】
次に、輸液チューブセット１００を使用する際の手順の一例について説明する。
まず、輸液チューブ１を用いて輸液を行う場合、例えば、抗がん剤の副作用を予防または抑制する制吐剤等を含む薬液を投与する場合は、まず、輸液チューブ１の瓶針２２で予めその薬液が収納された図示しないバッグのゴム栓を刺通する。これにより、瓶針部２７３を介し、そのバッグと輸液チューブ１とが接続される。
【０１２０】
なお、輸液チューブ１の下流側の図示しないコネクタは、患者の血管に留置された留置針のコネクタに接続されている。
【０１２１】
次に、輸液チューブ１のローラークレンメ２４のローラー２４２を操作し、薬液の流量を調整し、薬液を投与する。薬液は、バッグから輸液チューブ１の流路を下流側に流れ、濾過網１２を経て、患者に投与される。この場合、仮に、薬液中に異物が混入していたとしても濾過網１２により、その異物を捕捉し、除去することができる。
【０１２２】
輸液チューブ１ａは、薬液中への細菌の混入の虞がない場合や、薬液に含まれる薬剤が輸液チューブ１ｂのフィルタ２６に捕捉されてしまう場合等に使用される。
【０１２３】
この輸液チューブ１ａを用いて輸液を行う場合、すなわち、輸液チューブ１ａを輸液チューブ１に接続して抗がん剤を含む薬液を投与する場合は、予めその薬液が収納された図示しないバッグを用いる。この場合は、薬液中への細菌の混入の虞はない。
【０１２４】
まず、輸液チューブ１ａのコネクタ２７の瓶針部２７３で前記バッグのゴム栓を刺通する。これにより、瓶針部２７３を介し、そのバッグと輸液チューブ１ａとが接続される。
【０１２５】
次いで、輸液チューブ１ａのプライミングを行う。以上で、輸液チューブ１ａ側の準備が完了する。
【０１２６】
次に、輸液チューブ１に、前記輸液チューブ１ａを接続する。すなわち、輸液チューブ１の上流側コネクタ３ａの分岐管３２に、輸液チューブ１ａのフィルタ無し輸液チューブ側コネクタ２ａを接続する。
【０１２７】
以下、輸液チューブ１ａを輸液チューブ１に接続する際のフィルタ無し輸液チューブ側コネクタ２ａおよび上流側コネクタ３ａの動作状態、すなわち、フィルタ無し輸液チューブ側コネクタ２ａおよび上流側コネクタ３ａが分離状態から接続状態となる過程（図３（図７）→図４（図８）→図５（図９）→図６（図１０）の順に図面参照）について説明する。
【０１２８】
まず、図３に示すように、分離状態のフィルタ無し輸液チューブ側コネクタ２ａをその先端側から、上流側コネクタ３ａの分岐管３２の基端部に向かって接近させる。分離状態では、フィルタ無し輸液チューブ側コネクタ２ａは、第１の状態（内筒７の突部７６が外筒４の溝部４８の横溝４８１に位置した状態）となっている（図７参照）。また、第１の封止部材６は、中空針５よりも先端側に位置している。
【０１２９】
図４、図８に示すように、上流側コネクタ３ａの分岐管３２がフィルタ無し輸液チューブ側コネクタ２ａ内に挿入していくと、まず、フィルタ無し輸液チューブ側コネクタ２ａの第１の封止部材６の先端面６１２と、第２のコネクタ３の第２の封止部材１１の基端面１１２とが当接し、弾性変形して密着する。このとき、前述したように、フィルタ無し輸液チューブ側コネクタ２ａが第１の状態となっているため（図８参照）、フィルタ無し輸液チューブ側コネクタ２ａに対する上流側コネクタ３ａの分岐管３２の挿入操作が一旦規制される。
【０１３０】
また、図４に示すように、ストッパ１７が作動して（フィルタ無し輸液チューブ側コネクタ２ａの挟圧部材９が上流側コネクタ３ａの分岐管３２の係合部１０５ａに係合して）、分岐管３２が再び先端方向へ逆戻りし、フィルタ無し輸液チューブ側コネクタ２ａから離脱するのが防止される。
【０１３１】
次に、図９に示すように、フィルタ無し輸液チューブ側コネクタ２ａの内筒７を図中の矢印方向に回転操作すると、フィルタ無し輸液チューブ側コネクタ２ａは、第２の状態（内筒７の突部７６が外筒４の溝部４８の交差部４８３に位置した状態）となる。これにより、前述したように、挿入操作の規制が解除されて、当該挿入操作を再開することができる。
【０１３２】
また、ストッパ１７、ロック手段１９により、フィルタ無し輸液チューブ側コネクタ２ａと上流側コネクタ３ａの分岐管３２との接続状態が維持されている。これにより、フィルタ無し輸液チューブ側コネクタ２ａから上流側コネクタ３ａの分岐管３２を抜去する、すなわち、接続状態のフィルタ無し輸液チューブ側コネクタ２ａと上流側コネクタ３ａとが不本意に分離するのを確実に防止することができる。これにより、フィルタ無し輸液チューブ側コネクタ２ａおよび上流側コネクタ３ａを介して、薬液を安全に移送することができる。すなわち、医療従事者に薬液が付着してしまうことを防止することができる。
【０１３３】
また、接続状態では、フィルタ無し輸液チューブ側コネクタ２ａの第１の封止部材６と上流側コネクタ３ａの分岐管３２の第２の封止部材１１との密着が維持されている（図６参照）。これにより、第１の流路５２および第２の流路１０２の特に接合部付近での液密性（気密性）を確実に維持することができ、これらの流路を通過する薬液が接続状態のフィルタ無し輸液チューブ側コネクタ２ａおよび上流側コネクタ３ａから漏出するのが確実に防止される。これにより、医療従事者に薬液が付着してしまうことを防止することができる。
【０１３４】
また、図６に示す状態では、内筒７の基端７８が外筒４の底部４１から立設した壁部４１１の先端４１２が当接する。これにより、第２のコネクタ３の挿入限界が規制される。
【０１３５】
次に、輸液チューブ１ａのローラークレンメ２４のローラー２４２を操作し、薬液の流量を調整し、薬液の投与を開始する。薬液は、バッグから輸液チューブ１ａの流路を下流側に流れ、フィルタ無し輸液チューブ側コネクタ２ａ、上流側コネクタ３ａの分岐管３２および主管３１を経て、輸液チューブ１の流路を下流側に流れ、濾過網１２を経て、患者に投与される。この場合、仮に、薬液中に異物が混入していたとしても濾過網１２により、その異物を捕捉し、除去することができる。
【０１３６】
前記薬液の投与が終了すると、輸液チューブ１から輸液チューブ１ａを取り外す。すなわち、輸液チューブ１の上流側コネクタ３ａの分岐管３２から、輸液チューブ１ａのフィルタ無し輸液チューブ側コネクタ２ａを取り外す。
【０１３７】
以下、輸液チューブ１ａを輸液チューブ１から取り外す際のフィルタ無し輸液チューブ側コネクタ２ａおよび上流側コネクタ３ａの動作状態、すなわち、フィルタ無し輸液チューブ側コネクタ２ａおよび上流側コネクタ３ａが接続状態から再度分離状態となる過程（図６（図１０）→図５（図９）→図４（図８）→図３（図７）の順に図面参照）について説明する。
【０１３８】
まず、図６、図１０に示す状態から挟圧部材９を操作して、フィルタ無し輸液チューブ側コネクタ２ａと上流側コネクタ３ａの分岐管３２とのロック状態を解除する。これにより、フィルタ無し輸液チューブ側コネクタ２ａ内に挿入されている上流側コネクタ３ａの分岐管３２をそのフィルタ無し輸液チューブ側コネクタ２ａから抜去する抜去操作を開始することができる。
【０１３９】
図５、図９に示すように、抜去操作を開始すると、前記とは逆に、フィルタ無し輸液チューブ側コネクタ２ａが基端方向に移動する。すなわち、上流側コネクタ３ａの分岐管３２が先端方向に移動する。このとき、第１の封止部材６には、コイルバネ８による付勢力が内筒７を介して作用しているため、第１の封止部材６は、上流側コネクタ３ａの分岐管３２の移動に追従することができる。これにより、抜去操作を行なうときにも、第１の封止部材６と第２の封止部材１１との密着状態が維持される。
【０１４０】
そして、フィルタ無し輸液チューブ側コネクタ２ａが第２の状態となったときに、前述したように、抜去操作が一旦規制される（図９参照）。このとき、図５に示すように、中空針５は、側孔５３が第２の封止部材１１（図示の構成では第２の封止部材１１よりもさらに基端側にある第１の封止部材６）よりも基端側に位置している。なお、第１の封止部材６および第２の封止部材１１は、それぞれ、中空針５で刺通された部分が自己閉塞性により閉じる。
【０１４１】
次に、内筒７を前記と反対方向に回転操作すると、フィルタ無し輸液チューブ側コネクタ２ａは、図８に示す第１の状態となる。このとき、図４に示すように、ロック手段１９による内筒７と上流側コネクタ３ａの分岐管３２とのロック状態が解除されて、上流側コネクタ３ａの分岐管３２のみの先端方向への移動が可能となる。これにより、上流側コネクタ３ａの分岐管３２の抜去操作を再開することができる。
【０１４２】
図３、図７に示すように、抜去操作を再開すると、密着状態であった第１の刺通部６１と第２の刺通部１１１とが離間し、接続状態であったフィルタ無し輸液チューブ側コネクタ２ａと上流側コネクタ３ａとを再度分離状態とすることができる。
【０１４３】
このように、輸液チューブセット１００では、フィルタ無し輸液チューブ側コネクタ２ａから上流側コネクタ３ａの分岐管３２を抜去する際、中空針５が第２の封止部材１１から抜けきらないうちに、第１の封止部材６と第２の封止部材１１とが離間するのを防止することができる。これにより、接続状態のフィルタ無し輸液チューブ側コネクタ２ａと上流側コネクタ３ａとを分離している最中でも、第１の流路５２および第２の流路１０２の液密性が保持され、よって、これらの流路中の薬液がフィルタ無し輸液チューブ側コネクタ２ａおよび上流側コネクタ３ａから漏出するのが確実に防止される。これにより、薬液の移送を安全に行うことができる。すなわち、医療従事者に薬液が付着してしまうことを防止することができる。
【０１４４】
輸液チューブ１ｂは、薬液中への細菌の混入の虞がある場合や、薬液に含まれる薬剤がフィルタ２６に捕捉されない場合等に使用される。
【０１４５】
この輸液チューブ１ｂを用いて輸液を行う場合、すなわち、輸液チューブ１ｂを輸液チューブ１に接続して抗がん剤を含む薬液を投与する場合は、まず、溶解用液が収納された図示しないシリンジを図示しないアダプタを介して粉末状の抗がん剤が収納された図示しない抗がん剤バイアルに接続し、溶解用液をシリンジから抗がん剤バイアル内に移送する。そして、溶解用液に抗がん剤を溶解し、その後、その抗がん剤を含む薬液をシリンジ内に吸入する。
【０１４６】
次いで、輸液チューブ１ｂのコネクタ２７の瓶針部２７３で図示しないバッグのゴム栓を刺通する。これにより、瓶針部２７３を介し、そのバッグと輸液チューブ１ｂとが接続される。なお、この操作は、前記薬液をシリンジ内に収納する操作の前に行ってもよい。
【０１４７】
次いで、輸液チューブ１ｂのプライミングを行う。
次いで、コネクタ２７の分岐管２７２にアダプタを介してシリンジを接続し、シリンジ内の薬液をシリンジからバッグ内に移送し、その後、分岐管２７２からシリンジを取り外す。なお、以上の工程で、薬液中への細菌の混入の虞がないとは言えないので、安全を期し、輸液チューブ１ｂを用いる。以上で、輸液チューブ１ｂ側の準備が完了する。
【０１４８】
次に、前記輸液チューブ１ａの場合と同様に、輸液チューブ１の下流側コネクタ３ｂの分岐管３２に、輸液チューブ１ｂのフィルタ付き輸液チューブ側コネクタ２ｂを接続し、薬液の投与を行なう。薬液は、バッグから輸液チューブ１ｂの流路を下流側に流れ、フィルタ２６、フィルタ付き輸液チューブ側コネクタ２ｂ、下流側コネクタ３ｂの分岐管３２および主管３１を経て、輸液チューブ１の流路を下流側に流れ、患者に投与される。この場合、仮に、薬液中に細菌や異物が混入していたとしてもフィルタ２６により、その細菌や異物を捕捉し、除去することができる。
【０１４９】
また、薬液は、濾過網１２を通過しないので、濾過網１２を通過する場合に比べ、薬液が流路を流れるときの抵抗を小さくすることができる。
【０１５０】
前記薬液の投与が終了すると、前記輸液チューブ１ａの場合と同様に、輸液チューブ１の下流側コネクタ３ｂの分岐管３２から、輸液チューブ１ｂのフィルタ付き輸液チューブ側コネクタ２ｂを取り外す。
【０１５１】
なお、前記フィルタ付き輸液チューブ側コネクタ２ｂと下流側コネクタ３ｂの分岐管３２との接続および取り外しの際のフィルタ付き輸液チューブ側コネクタ２ｂおよび下流側コネクタ３ｂの動作状態については、それぞれ、前記フィルタ無し輸液チューブ側コネクタ２ａおよび上流側コネクタ３ａと同様であるので、その説明は省略する。
【０１５２】
以上説明したように、この輸液チューブセット１００によれば、医療従事者は、投与する抗がん剤等を含む薬液に触れることなく、安全に、輸液チューブ１ａ、１ｂの着脱操作を行うことができる。
【０１５３】
また、フィルタ２６を有する輸液チューブ１ｂを使用するときは、投与する薬液の流路に、濾過網１２が介在しないので、濾過網１２部材が介在する場合に比べ、薬液が流路を流れるときの抵抗を小さくすることができる。
【０１５４】
また、フィルタ２６を有していない輸液チューブ１ａを使用するときは、投与する薬液の流路に、濾過網１２が介在するので、その濾過網１２により、流路を流れる薬液中の異物を除去することができる。
【０１５５】
なお、本実施形態では、濾過網１２は、下流側コネクタ３ｂに設けられているが、濾過網１２は、上流側コネクタ３ａの分岐管３２と、下流側コネクタ３ｂの分岐管３２との間の流路に設けられていれば、これに限定されない。すなわち、濾過網１２は、例えば、上流側コネクタ３ａに設けられていてもよく、また、上流側コネクタ３ａおよび下流側コネクタ３ｂ以外の部位、例えば、上流側コネクタ３ａと下流側コネクタ３ｂとの間に設けられていてもよい。
【０１５６】
濾過網１２を上流側コネクタ３ａに設ける場合は、濾過網１２は、主管３１の分岐管３２よりも下流側の部位、例えば、主管３１の下流側の端部に設置される。
【０１５７】
＜第２実施形態＞
図１３は、本発明の輸液チューブセットの第２実施形態における輸液チューブのコネクタを摸式的に示す平面図である。
【０１５８】
なお、以下では、図１３中の上側を「上流側」、下側を下流側として説明を行う。
また、図１３中でのコネクタ３の分岐管３３２および３４２については、図中括弧書きで示すように、右側を「基端」、左側を「先端」として説明を行う。
【０１５９】
以下、第２実施形態について、前述した第１実施形態との相違点を中心に説明し、同様の事項については、その説明を省略する。
【０１６０】
第２実施形態は、輸液チューブ１における輸液チューブ１ａ、１ｂと接続されるコネクタの構成が異なること以外は、第１実施形態と同様である。
【０１６１】
すなわち、図１３に示すように、第２実施形態の輸液チューブセット１００では、輸液チューブ１は、ローラークレンメ２４の下流側に、コネクタ３を有している。
【０１６２】
このコネクタ３は、第１実施形態における上流側コネクタ３ａと、下流側コネクタ３ｂとに相当するものであり、上流側コネクタ３ａと同様の上流側コネクタ部３３と、下流側コネクタ３ｂと同様の下流側コネクタ部３４とを有している。なお、下流側コネクタ部３４は、上流側コネクタ部３３の下流側に位置している。
【０１６３】
上流側コネクタ部３３は、主管３３１と、主管３３１から分岐した分岐管３３２とを有し、また、下流側コネクタ部３４は、主管３４１と、主管３４１から分岐した分岐管３４２とを有している。この上流側コネクタ部３３と下流側コネクタ部３４とは、上流側コネクタ部３３の主管３３１の下流側の端部と、下流側コネクタ部３４の主管３４１の上流側の端部とで接合され、一体化している。
【０１６４】
濾過網１２は、上流側コネクタ部３３の分岐管３３２と、下流側コネクタ部３４の分岐管３４２との間の流路に設けられる。なお、図示の構成では、濾過網１２は、上流側コネクタ部３３の主管３３１の下流側の端部と、下流側コネクタ部３４の主管３４１の上流側の端部との間に設けられている。
【０１６５】
この輸液チューブセット１００によれば、前述した第１実施形態と同様の効果が得られる。
【０１６６】
そして、この輸液チューブセット１００では、上流側コネクタ部３３の分岐管３３２と、下流側コネクタ部３４の分岐管３４２との間の流路の長さを短くすることができ、これにより、第１実施形態に比べ、プライミングに要する時間を短くすることができる。
【０１６７】
以上、本発明の輸液チューブおよび輸液チューブセットを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１６８】
また、本発明は、前記各実施形態のうちの、任意の２以上の構成（特徴）を組み合わせたものであってもよい。
【０１６９】
また、上流側コネクタ、下流側コネクタ、フィルタ無し輸液チューブ側コネクタ、フィルタ付き輸液チューブ側コネクタの構成は、それぞれ、前述したものには限定されず、対応するコネクタ同士が接続し得るようになっていればよい。
【０１７０】
また、操作規制手段は、外筒の壁部に形成された溝部と、内筒の壁部に突出形成され、溝部に挿入される突部とで構成されたものであるが、これに限定されず、内筒の壁部に形成された溝部と、外筒の壁部に突出形成され、溝部に挿入される突部とで構成されたものであってもよい。
【０１７１】
また、第１の刺通部および第２の刺通部は、それぞれ、その端面が隆起しているが、これに限定されず、例えば、それらの刺通部のうちの一方の端面のみが隆起していてもよい。
【０１７２】
また、第３の刺通部および第４の刺通部は、それぞれ、その端面が隆起しているが、これに限定されず、例えば、それらの刺通部のうちの一方の端面のみが隆起していてもよい。
【産業上の利用可能性】
【０１７３】
本発明によれば、投与する液体に触れることなく、安全に、フィルタ付き輸液チューブや、フィルタ無し輸液チューブの着脱操作を行うことができる。
また、フィルタ付き輸液チューブを使用するときは、投与する液体の流路に、濾過部材を介在させず、また、フィルタ無し輸液チューブを使用するときは、投与する液体の流路に、濾過部材を介在させることができる。したがって産業上の利用可能性を有する。
【図１】
2012002313.tif 000003
【図２】
2012002313.tif 000004
【図３】
2012002313.tif 000005
【図４】
2012002313.tif 000006
【図５】
2012002313.tif 000007
【図６】
2012002313.tif 000008
【図７】
2012002313.tif 000009
【図８】
2012002313.tif 000010
【図９】
2012002313.tif 000011
【図１０】
2012002313.tif 000012
【図１１】
2012002313.tif 000013
【図１２】
2012002313.tif 000014
【図１３】
2012002313.tif 000015
【国際調査報告】
2012002313.tif 000016
2012002313.tif 000017